(57)【特許請求の範囲】
【請求項１】
リング・ネットワーク（１、２）間の相互接続を保護する方法であって、信号は、少なくとも２つのリング・ネットワーク間で送信され、各リング・ネットワークは、反対方向に動作する２つの通信路（３、４、５、６）と、両通信路に接続された少なくとも２つの節点（１２ａ、１２ｂ、１２ｃ、１２ｄ、９、１２ｅ、１２ｆ、１０）とを含み、２つのリング・ネットワークは、２つのゲートウェイ（７、８）を介して相互接続され、各ゲートウェイは、一方のリング・ネットワーク上の両通信路からのトラヒックを受信し、他方のリング・ネットワークの一部分（Ｕ）に向けられた通信路上の他方のリング・ネットワークにトラヒックを送信するように配置され、
トラヒックは、各リング・ネットワーク上の２つの節点間の不活性セグメント（１３ａ、１３ｂ）で両方向に停止され、検出機構（２３、３５、３７）は、リング・ネットワークの節点の少なくとも１つに設けられ、両ゲートウェイからトラヒックが受信されるかを検出し、検出すると、不活性セグメントがゲートウェイの間に位置することを決定することを特徴とする前記方法。
【請求項２】
請求項１記載の方法であって、リング・ネットワークの節点が両ゲートウェイ（７、８）からトラヒックを受信する位置に不活性セグメント（１３ａ、１３ｂ）がある場合、送信は、前記ゲートウェイの１つにより抑止されることを特徴とする前記方法。
【請求項３】
請求項１又は２記載の方法であって、リング・ネットワーク（１、２）上の不活性セグメント（１３ａ、１３ｂ）の各側の２つの節点（１２ａ、１２ｂ、１２ｃ、１２ｄ、９、１２ｅ、１２ｆ、１０）が終端節点であり、かつ、不活性セグメントの方向に送信又は不活性セグメントからの受信を抑制する時、不活性セグメントが生成されることを特徴とする前記方法。
【請求項４】
請求項３記載の方法であって、不活性セグメント（１３ａ、１３ｂ）以外のリング・ネットワーク（１、２）および同一のリング・ネットワーク上で故障が発生した場合、不活性セグメントは、故障点へ論理的に移動されることを特徴とする前記方法。
【請求項５】
請求項４記載の方法であって、各終端節点（１２ａ、１２ｂ、１２ｃ、１２ｄ、９、１２ｅ、１２ｆ、１０）は、終端節点に接続された両通信路（３、４、５、６）上に自身の保護信号（PSa、PSb）を送信し、保護信号は、不活性セグメント（１３ａ、１３ｂ）により停止されず、各終端節点は、保護信号の存在を検出し、保護信号の検出から故障検出が行なわれることを特徴とする前記方法。
【請求項６】
請求項４記載の方法であって、警報フラッグ（SS）は、節点から節点へ両通信路（３、４、５、６）上の自身のチャネルに送信され、警報フラッグ（SS）は、不活性セグメント（１３ａ、１３ｂ）により停止されず、リング・ネットワーク（１、２）上で故障が検出された場合に警報フラッグは、セットされることを特徴とする前記方法。
【請求項７】
請求項１から６のいずれかに記載の方法であって、前記検出機構により禁止されていない限り、各ゲートウェイ（７、８）は、ネットワークの他の一部分（L）に向けられた通信路（３、４、５、６）上の他方のリング・ネットワーク（１、２）にトラヒックを送信することを特徴とする前記方法。
【請求項８】
リング・ネットワーク間の相互接続を保護する装置であって、２つのリング・ネットワーク（１、２）を含み、各リング・ネットワークは、反対方向に動作する２つの通信路（３、４、５、６）と、両通信路に接続された少なくとも２つの節点（１２ａ、１２ｂ、１２ｃ、１２ｄ、９、１２ｅ、１２ｆ、１０）とを含み、２つのリング・ネットワークは、２つのゲートウェイ（７、８）を介して相互接続され、各ゲートウェイは、一方のリング・ネットワーク上の両通信路からのトラヒックを受信し、他のリング・ネットワークの一部分に向けられた通信路上の他方のリング・ネットワークにトラヒックを送信するように配置され、
２つの節点間の各リング・ネットワーク上には、不活性セグメント（１３ａ、１３ｂ）と呼ばれるセグメントが設けられてトラヒックを搬送せず、検出機構（２３、３５、３７）は、リング・ネットワークの節点の少なくとも１つに設けられ、両ゲートウェイからトラヒックが受信されるかを検出し、検出されると、不活性セグメントがゲートウェイの間に位置することを決定することを特徴とする前記装置。
【請求項９】
請求項８記載の装置であって、リング・ネットワークの一部分（U、L）の節点が両ゲートウェイ（７、８）からトラヒックを受信する位置に不活性セグメント（１３ａ、１３ｂ）がある場合に、ゲートウェイの一方は、ネットワークの一部分（U、L）で送信を抑止するように設けられていることを特徴とする前記装置。
【請求項１０】
請求項９記載の装置であって、前記検出機構により禁止されていない限り、各ゲートウェイ（７、８）は、ネットワークの他の一部分（L）に向けられた通信路（３、４、５、６）上の他方のリング・ネットワーク（１、２）にトラヒックを送信することを特徴とする前記装置。
【発明の詳細な説明】
【０００１】
（発明の技術分野）
本発明は、リング・ネットワーク間の相互接続を保護する方法と装置に関係する。
【０００２】
（関連技術の説明）
波長分割多重化（WDM）は、異なる分離した光波長を使用して光学ファイバ中に多数の光学信号の伝送を可能とする技術である。この方法で情報担時容量は、著しく増大する。容量は、使用する波長チャネル数とその帯域幅に依存する。各波長の信号は、その他の信号に係らずファイバ中を走行し、従って、各信号は、大きな帯域幅の離散チャネルを表現する。
【０００３】
リング通信ネットワークは、節点から構成され、この節点は、光学ファイバのような単方向性通信路によりリングに一列に接続される。節点は、上流節点からの送信を受信する。戻りのトラヒックは、最初の節点に下流に送信される。
【０００４】
このようなネットワークの欠点は、リングの破断又は節点の故障が破断／故障の上流の全ての節点が破断の下流の全ての節点との通信を妨害する点である。この問題に対する通常の解決法は、最初のものと並列ではあるが反対方向の第２の予備通信路を何らかの方法で設けることである、米国特許第5,365,510号、米国特許第5,179,548号及び英国特許第677,936号明細書が参照される。第１の通信路のどこかで通信が失敗した場合、トラヒックは、第２の通信路上に戻され、反対側から希望節点に到達する。
【０００５】
その他の解決法は、反対方向の２つの通信路上にトラヒックを送信するが、リングのあるセグメントをデータ・トラヒックに対して作動させないようにする方法で、1996年12月5日「電子レター」第32巻、第25号、2338-2339頁、ビー・エス・ジョナソン、シー・アール・バチェロー及びエル・エグネルの「柔軟なバス：自己回復光学ADMリング・アーキテクチャ」が参照される。故障の場合、セグメントは、故障点に移動される。しかしながら、実際に、これをどのように実施するかは、記述されていない。
【０００６】
２つのリング・ネットワークが通信する場合、依然として弱点、すなわち、２つのリング・ネットワークを相互接続する節点が存在する。この問題は、２つのリング・ネットワークが２つの並列サービス節点を介して相互接続されている米国特許第5,218,604号で電気的な面では解決されている。この場合、リング・ネットワークは、一方が時計回り方向のトラヒックを担時し、他方が反時計回り方向の同じトラヒックを担持する２つの並列な通信路から構成される。
【０００７】
第１のリング・ネットワークでは、両通信路からのトラヒックは、いわゆる「ドロップ・アンド・コンティニュ」プロパティを介して両方のサービス節点により受信される。２つのサービス節点の各々で、セレクタは、どちらの通信路から受信した信号を再送信するかを選択する。
【０００８】
２つのサービス節点は、次いで第２のリング・ネットワークに受信信号を再送信する。各サービス節点は、その他方のサービス節点から離れる方向に送信し、結果として第２のリング・ネットワークの２つの通信路は、同じトラヒックを担時する。トラヒックが送信される節点は、セレクタを使用して、どの通信路信号を受信するかを選択する。
【０００９】
（発明の要約）
本発明の目的は、リング・ネットワーク間の保護された相互接続を提供することである。リング・ネットワークは、省略して「リング」と呼ばれる。保護は、リング上の２つの並列相互接続節点を使用して行なわれ、これは、他方のリング上の２つの対応する並列相互接続節点と結合され、ゲートウェイと呼ばれる。リングに入る信号は、両方のゲートウェイ上をルートされる。ゲートウェイは、リングの両方向から信号を受取るが、隣接するゲートウェイから離れる方向のみ送信する。
【００１０】
ここまでは、本発明は、米国特許第5,218,604号と同様である。米国特許第5,218,604号の発明の問題点は、光学的に実施する場合、各波長に高価で信頼できない光学セレクタを使用しなければならない点である。その他の問題点は、増幅自発輻射（ASE）が停止できず、これが飽和、高雑音レベルや発振を生じる点である。
【００１１】
本発明は、米国特許第5,218,604号の節点とは異なる種類の節点を使用することにより問題を解決し、特に不活性セグメントを含む各リングにより解決している。不活性セグメントは、リング上の節点がゲートウェイの一方のみから信号を受信することを保証する。故障の場合、不活性セグメントは、移動し、これが故障を包含する。従って、動作は、保証される。
【００１２】
不活性セグメントがゲートウェイ間にある場合、ゲートウェイの一方は、この状況を検出する検出機構の役割を果たす。この状況が発生した場合、前記ゲートウェイは、送信を抑止し、他方のゲートウェイのみが送信する。
【００１３】
米国特許第5,218,604号とのその他の相違は、それが各節点で全てのトラヒックを受信し再送信するが、本発明では、これは行なわれない点である。また、それは両リングで同じトラヒックを有し、どのリングから受信するかを選択するが、本発明では、両リングで同じトラヒックでないため、同時に両リングから受信可能である。
【００１４】
本発明の利点は、簡単で自明であり、高価ではない方法でリング・ネットワーク間の保護された相互接続が提供できる点である。
【００１５】
米国特許第5,218,604号では、ゲートウェイ間に節点を配置出来ない問題もあった。リングを上部と下部に「分割する」ことにより、これは、本発明の実施例で解決される。リングの異なる部分は、異なる波長を使用する。不活性セグメントは、上部又は下部のどちらかに位置する。
【００１６】
上述したように異なる部分に異なる波長を使用して、ゲートウェイの一方は、リングの上部と下部の両方に常に送信する。他方のゲートウェイは、不活性セグメントが存在する部分にのみ送信する。他方のゲートウェイは、上述した検出機構によりリングのどの部分に送信し、送信しないかを知る。
【００１７】
（望ましい実施例の詳細な説明）
図１ａには、本発明に従って、２つの光学ファイバ３、４を含む第１のリング・ネットワーク１と２つの光学ファイバ５、６を含む第２のリング・ネットワーク２が図示されている。リング・ネットワークは、省略して「リング」と呼ぶ。各リング１、２では、２つのファイバ３、４又は５、６は、反対方向に動作し、これは、図面の矢印により指示される。
【００１８】
２つのリング１、２は、左側の第１のゲートウェイ７と右側の第２のゲートウェイ８を介して相互接続される。各ゲートウェイ７、８は、各リング１、２上にゲートウェイ節点９ａ、９ｂ、１０ａ、１０ｂを含み、オプションとして２つのゲートウェイ節点９ａ、９ｂ、１０ａ、１０ｂ間にある種の交差接続１１を含む。リング１、２上には、任意数の節点１２ａ−１２ｆが存在しても良い。
【００１９】
リング１、２は、各々、図面の２本の破線として概略的に図示されている不活性セグメント１３を含む。通常モードでは、不活性セグメントは、リング１、２上の任意の所に位置してもよいが、故障の場合には、不活性セグメント１３は、故障点に移動する。
【００２０】
リング１上の不活性セグメント１３は、節点１２ａと１２ｃとの間に位置し、従って、これらの節点は、バスの終端節点となる。２つの終端節点１２ａと１２ｃは、共に希望不活性セグメントの場所からの受信又はそこへ向かう送信を阻止しているため、不活性セグメント１３が生じている。不活性セグメントをいかに実装するかに関する例は、以下に与えられている。
【００２１】
各ゲートウェイ７、８は、両方向、すなわちリング１又は２の両ファイバ４、５又は６、７からのトラヒックを受信する。しかし、基本的に、ゲートウェイ７、８は、そのパートナ・ゲートウェイ８、７から離れる方向にのみ送信し、これは、図１bに図示されている。従って、この第１の実施例には、２つのゲートウェイ７、８間の直接路上には、節点１２ａ−１２ｆは、存在しない。
【００２２】
不活性セグメント１３の導入は、各節点１２ａ−１２ｆがゲートウェイ７、８の一方のみからトラヒックを受信することを保証する。不活性セグメント１３から反時計回りに位置する節点１２ｃは、左ゲートウェイ７からトラヒックを受信し、一方、不活性セグメント１３から時計回りに位置する節点１２ａ、１２ｂ、１２ｄは、右ゲートウェイ８からトラヒックを受信する。
【００２３】
一例として、下のリング２の右下の節点１２ｆが上のリング１の左上節点１２ａへ送信するものと仮定する。反時計回りには、不活性セグメント１３ｂがあるため、下方リング２の送信は、節点１２ｆで開始し、ファイバ６を時計回りに追う。
【００２４】
送信は、節点１２ｅを通過し、左ゲートウェイ７に到達し、ここで分離する。送信の一方の部分は、左ゲートウェイ７で受信されて上部リング１に再送信され、他方の部分は、右ゲートウェイ８へ続行し、これも、ここで受信されて上部リング１に再送信される。
【００２５】
左ゲートウェイ７は、上部リング１で右ゲートウェイ８から離れる方向に再送信、すなわち、ファイバ４を時計回りに追う。送信は、節点１２ｃを通過し、次いで、リングの終端節点として作用する節点１２ａと１２ｃとの間に不活性セグメント１３ａが位置しているため、阻止部がある。
【００２６】
反対に、右ゲートウェイ８は、上部リング１で左ゲートウェイ７から離れる方向に再送信、すなわち、ファイバ３を反時計回りに追う。送信は、次いで節点１２ｄと１２ｂを通過し、希望の節点１２ａで終了する。
【００２７】
不活性セグメント１３ａが図２のように代わりに節点１２ｂと１２ｄとの間に位置している場合、希望節点１２ａに到達するのは、節点１２ｃを介して左ゲートウェイ７からの代わりの送信である。
【００２８】
不活性セグメントを異なる方法で得ることが可能である。２つの解決法が提示される。
【００２９】
不活性セグメントをいかに達成するかを説明するために、発明に適する節点の一部を図３ａに示す。
【００３０】
節点は、２つのファイバ３、４に接続される。各ファイバ３、４上で、節点は、第１の検出器２１、前置増幅器２２、第２の検出器２３、スイッチ２４、ブースタ増幅器２５、受信器群１９及び送信器群２０を含む。通常、チャネル当り１つの受信器／送信器があるが、受信器群１９と送信器群２０は、簡単のため、従って各々１つのブロックとして図示されている。増幅器２２と２５は、それ自体発明には必要ではないが、スイッチとして動作し、スイッチ２４を置換える又は相補するものと考えられる。
【００３１】
第１の検出器２１は、入力パワーの損失を検出し、第２の検出器２３は、入力保護信号の損失を検出する。スイッチ２４は、不活性セグメントを得るために使用される。送信器２０と受信器１９は、リングに及びリングからチャネルを追加し除くために使用される。
【００３２】
中央プロセッサ２６は、全てを制御し、保護信号送信器２７は、節点が終端節点として作用する時、両ファイバ３、４、すなわち、両方向に保護信号PSを送信する。
【００３３】
図３ｂは、図３ａのような４つの節点１２ａ、１２ｂ、１２ｃ、１２ｄを有するリングを概略的に示す。不活性セグメント１３は、終端節点１２ａと１２ｂとの間にある。終端節点１２ａ、１２ｂの両方は、そのスイッチ２４を不活性セグメント１３に向けて閉じる。これは、主として、不活性セグメント１３上にデータ・トラヒックが送信されないことを意味する。
【００３４】
しかしながら、両終端節点１２ａ、１２ｂが各々両方向に、すなわち不活性セグメント１３上にも保護信号PSaとPSbを送信する。説明を容易にするため、異なる方向に流れる保護信号を区別する必要がある。このため、反時計回りに送信される保護信号PSaとPSbは、PSa'とPSb'と命名される。
【００３５】
図３ａから分かるように、保護信号PSの送信は、スイッチ２４の後に発生し、従ってスイッチ２４の状態には影響されない。このことは、通常状態では節点１２ａ、１２ｂ、１２ｃ、１２ｄは、４つの保護信号PSa、PSb、PSa'、PSb'を受信することを意味する。
【００３６】
保護信号PSa、PSb、PSa'、PSb'の受信又は非受信から多数の結論が引き出せる。いくつかの例を以下に説明する。更なる例は、容易に想像できる。左終端節点12aがそれ自身の保護信号PSa'を受信しないが、右終端節点１２ｂから保護信号PSb、PSb'を受信した場合、左終端節点１２ａから右終端節点１２ｂへの不活性セグメント１３上を通過するファイバに多分、故障がある。
【００３７】
左終端節点12aは、それ自身の保護信号PSa'と右終端節点１２ｂからの保護信号PSb'を受信するが、右終端節点１２ｂからの保護信号PSbを受信しない場合、右終端節点１２ｂから左終端節点１２ａへの不活性セグメント１３上を通過するファイバに多分、故障がある。
【００３８】
左終端節点12aは、それ自身の保護信号PSa'を受信せず、かつ右終端節点１２ｂからの保護信号PSb'を受信しないが、右終端節点１２ｂから保護信号PSbを受信した場合、不活性セグメント１３ではないファイバ上に多分、故障がある。これは、不活性セグメント１３を移動すべきであるという指示である。
【００３９】
左終端節点12aは、それ自身の保護信号PSa'を受信するが、右終端節点１２ｂからの保護信号PSb'を受信しない場合、不活性セグメント１３ではないが右終端節点１２ｂに多分、故障があり、従って不活性セグメント１３を移動すべきである。
【００４０】
不活性セグメント１３を移動すべきであるという指示があり、かつ不活性セグメントに故障がない場合、終端節点１２ａ、１２ｂは、その保護信号PSa、PSb、PSa'、PSb'の送信を停止し、不活性セグメント１３に向かうそのスイッチを開放する。従って今や以前の不活性セグメント１３上の送信が可能となる。
【００４１】
同時に、一方の側のその第１の検出器２１により節点１２ｃが入力パワの損失を検出した場合、これは、その側の故障の指示である。それ故、その側に向かって流れるファイバ上のスイッチ２４は、閉じ、保護信号PScが両方向に送信され始める。故障の反対側でも対応することが発生し、従って、新たな不活性セグメントが作成される。
【００４２】
２つの節点の間の代わりに節点中で発生する故障も対応する方法で処理される。
【００４３】
不活性セグメントを得る第２の実施例をここで説明する。図４ａには本発明に適する節点の部分が図示されている。大部分は、第１の実施例と同じであり、相違点のみを以下に説明する。
【００４４】
節点は、２つのファイバ３、４に接続される。各ファイバ３、４上で節点は、検出器２１、前置増幅器２２、ブースタ増幅器２５、受信器１９及び送信器２０を含む。
【００４５】
検出器２１は、入力パワの損失を検出し、前置増幅器２２は、スイッチとして作動する。中央プロセッサ２６は、全てを制御し、監視装置２８は、別々の波長チャネルで両ファイバ３、４上に警報信号SSを送信する。警報信号SSは、全時間で両方向に節点から節点にリング上を巡回して送信される。警報信号SSは、故障フラッグであり、これは、故障時にセットされる。この場合、波長チャネルには、どの部分が不活性であるかの指示もある。
【００４６】
故障のない状態では、不活性セグメントから終端節点での受信を阻止する前置増幅器を遮断することにより不活性セグメントが得られる。代案として、前記増幅器を使用して受信を阻止する代わりに、ブースタ増幅器を使用して送信を阻止することも考えられる。しかしながら、信号が遮断前置増幅器の入力部に存在するため、受信の阻止の方に利点がある。このことは、現在の不活性セグメントに発生した故障は、パワの損失により検出されることを意味する。さらに、信号を使用して前置増幅器の将来の増幅を調節し、従って前置増幅器がオンされた時に直ちに正しい増幅を得られることも意味する。
【００４７】
従来のスイッチも本実施例に使用してもよい。しかしながら、増幅器をスイッチとして使用するほうがより経済的でより信頼性が高い。何故なら少ない部品しか必要としないからである。
【００４８】
節点が入力パワの損失を検出した場合、故障に向かう方向の前置増幅器とブースタ増幅器の両方がスイッチのように遮断される。ブースタ増幅器も遮断する１つの理由は、一方向性故障の場合にセグメントの非作動化を保証するためである。その他の理由は、人間の眼の安全性の理由である。
【００４９】
従って、前記節点が終端節点となり、新たな不活性セグメントが第１の実施例の過程と同様に作成される。しかしながら、この場合も警報信号SSが監視チャネルにセットされる。
【００５０】
故障の反対側の節点も同じ警報信号SSを設定しようとし、これは、節点故障の場合に冗長性を与える。
【００５１】
その他の節点が設定警報信号SSを受信すると、故障が発生したことが知らされる。不活性セグメントに向けて、その前置増幅器が遮断されていた以前の終端節点は、ここで、その前置増幅器を活性化させる。従って、第１の実施例と殆ど同様にして不活性セグメントが移動される。
【００５２】
設定警報信号SSは、故障が修理される前に不活性セグメントが二度目に移動されることを防止する、これは、警報信号SSがセットされていない場合にのみ移動が許されるからである。
【００５３】
もちろん、監視チャネルは、同時にその他の型式の信号処理も実行する。
【００５４】
図５には、一対のゲートウェイ節点９ａ、９ｂが図示されている。これは、図３ａの節点の全ての機能を含むが、さらに、その他の機能も有する。簡単のため、最も適切な機能のみが図５には図示されている。その他の機能もまた図４ａにも実装されているが、スイッチの代わりに前置増幅器を使用した場合は、図６が参照される。図５のみを説明する。図６は、対応して動作する。
【００５５】
制御を指示する破線は、これら及び以下の図面で一緒に所属する素子の概略表記としてのみ意味を有する。もちろん、制御信号は図示していない中央プロセッサを介して通常流れる図３ａと４ａと比較される。
【００５６】
図１を参照すると、ゲートウェイ７、８は、２つのゲートウェイ節点９ａ、１０ａ、９ｂ、１０ｂと、ゲートウェイ節点９ａ、１０ａとの間のオプションの交差接続１１を含む。図５では、一方のゲートウェイ節点９ａ、９ｂのみが図示されている他方のゲートウェイ節点１０ａ、１０ｂは、同様である。
【００５７】
交差接続１１なしでは、送信ルートは、全てに対して一度、修復されるが、交差接続１１があると、交換可能である。
【００５８】
図５では、ゲートウェイ７、８の第１のゲートウェイ節点９ａ、９ｂは、時計回りファイバ４と反時計回りファイバ３の両方に接続される。第１のファイバ３、４から他方のリングの２つの第２のファイバ５、６に向かうトラフィックは、受信器３０で受信される。次いでトラヒックは、第１の端子マルチプレクサ３１、オプションの交差接続１１及び第２の端子マルチプレクサ３２を介して、２つの第２のファイバ５、６に接続されている第２のゲートウェイ節点１０ａ、１０ｂに流れる。
【００５９】
第２のゲートウェイ節点１０ａ、１０ｂから第１のゲートウェイ節点９ａ、９ｂへのトラヒックは、反対方向に流れ、第１のゲートウェイ節点９ａ、９ｂの送信器３３により第１のファイバ３、４に再送信される。
【００６０】
チャネル当たり１つの第３の検出器３４又は検出器群３４は、第２の端子マルチプレクサ３２からの入力パワの損失がある場合を検出し、これは、故障を指示しスイッチ２４を閉じる。上述した故障処理が生じる。
【００６１】
前述したように、ゲートウェイ節点９ａ、９ｂ、１０ａ、１０ｂは、同一リングの両ファイバから常にトラヒックを受信するが、その隣接するゲートウェイ節点から離れる方向にのみ送信する。不活性セグメントと共に、これは、リング上の節点がゲートウェイの一方からのトラヒックのみを受信することを保証する。
【００６２】
図７を参照して、２つのゲートウェイ７と８との間で故障が発生した場合に何が起こるだろうか。この場合、ゲートウェイ７と８は、リング１の終端節点を形成するようにリングが再構成される。この場合、全ての節点１２ａ−１２ｄは、両方向からトラヒックを受信するが、これは、望ましくない。
【００６３】
しかしながら、２つのゲートウェイ７、８がある点で異なるようにすることにより、この問題は、容易に解決可能である。この例で、図５の左ゲートウェイ７は、第２の検出器２３と同じであるが、右ゲートウェイ８を向いていない条件検出器３５を含む。条件検出器３５が右ゲートウェイ８から保護信号PSを検出した場合、左ゲートウェイ７は、スイッチ３６を閉じることにより、問題のリング１の送信を抑止する。しかしながら、左ゲートウェイ７は、通常通りトラヒックを受信しつづけ、送信を待機する。右ゲートウェイ８の以後の故障の場合、左ゲートウェイ７は、保護信号PSが無いことを検出し、再び送信を開始する。
【００６４】
図６の第２の実施例では、どのセグメントで故障が発生したかの情報が監視チャネルに送信され、これは、左ゲートウェイの監視装置２８により検出される。
【００６５】
不活性セグメントがゲートウェイ節点間に位置した場合を検出する可能性は、またゲートウェイ間にも節点を配置する可能性を広げる。これは、各々図８又は図９によるゲートウェイ節点の変更を必要とする。
【００６６】
図８は、図５と同様であり、図９は、図６と同様であるが、ゲートウェイ節点９ａ、９ｂを両方向に送信可能とする別の接続部を有する。図８のみを説明するが、図９も対応する方法で動作する。図８及び図９では、ゲートウェイは、単に紙面上の空間不足のため互いに隣接して描かれていることが理解される。ゲートウェイは、主にその間に節点を有して使用される。
【００６７】
上述した条件検出器３５と同じ目的に使用、すなわち保護信号発見時にスイッチ３８をオフ位置にするため、他方の第２の検出器２３と同様でよい第２の条件検出器３７がある。図８に図示するように２つのスイッチ３６、３８があるか、又は一方の送信線または他方をスイッチする１つのスイッチがあるか、のどちらかである。しかしながら、後者の場合では、左ゲートウェイは、右ゲートウェイのスタンバイ状態ではない。
【００６８】
この結果は、図１０ａと１０ｂのようなもので、これは、図１ａ、３及び７と同様のネットワークを図示するが、代わりにゲートウェイ節点９ａ、９ｂ間に節点１２ｃと１２ｄがある。図１０ｂは、ゲートウェイ節点がいかに動作するかを概略的に示す。
【００６９】
リングは、上部Ｕと下部Ｌとに「分離される」。「分離される」とは、ゲートウェイ節点９ａ、９ｂは、リングの上部Ｕは、リングの上部Ｕの節点に向かうトラヒックのみを送信し、リングの下部Ｌは、リングの下部Ｌにある節点に向かうトラヒックのみを送信することを意味する。これが適正に動作するためには、異なる波長λ１、λ２及びλ３、λ４をリングの２つの部分Ｕ、Ｌに使用しなければならないことに注意される。
【００７０】
図１０ａでは、不活性セグメント１３は、リングの下部Ｌの節点１２ｃと１２ｄとの間に位置する。従って、両ゲートウェイ節点９ａ、９ｂがリングの下部Ｌで送信するが、右ゲートウェイ節点９ｂのみがリングの上部Ｕで送信する。これは、左ゲートウェイ９ａが右ゲートウェイ節点９ｂがリングの上部Ｕで送信していることを検出し、従って左ゲートウェイ９ａは、その方向の送信を阻止しているためである。
【００７１】
図１０ｃでは、反対に、不活性セグメント１３は、リングの上部Ｕの節点１２ａと１２ｂとの間に位置する。従って、両ゲートウェイ節点９ａ、９ｂがリングの上部Ｕで送信するが、右ゲートウェイ節点９ｂのみがリングの下部Ｌで送信する。これは、左ゲートウェイ９ａが、右ゲートウェイ節点９ｂがリングの下部Ｌで送信していることを検出し、従って、左ゲートウェイ９ａは、その方向の送信を阻止しているためである。
【００７２】
上述した全ての実施例で、ゲートウェイ７、８の一方で発生した故障は、それ以外の故障以上の問題を与えない。２つのゲートウェイ７、８は、冗長であるため、これは、１つのゲートウェイ７のみを使用して、故障したゲートウェイ８の隣に不活性セグメントがある場合と同様である。
【００７３】
本方法は、２つ以上のリングでも作動し、光学的実施例のみが図示されていたとしても電気的ネットワークと同様な方法で作動する。
【図面の簡単な説明】
【図１ａ】  不活性セグメントが１箇所にある本発明によるネットワークの図である。
【図１ｂ】  ２つのゲートウェイ節点の詳細図である。
【図２】  図１ａと同じネットワークであるが、不活性セグメントが他の位置にある図である。
【図３ａ】  本発明による節点の一実施例を示す。
【図３ｂ】  第１の節点実施例の原理図である。
【図４ａ】  本発明による節点の他の実施例を図示する。
【図４ｂ】  第２の節点実施例の原理図である。
【図５】  図３ａに対応するゲートウェイの第１の実施例を図示する。
【図６】  図４ａに対応するゲートウェイの第１の実施例を図示する。
【図７】  図１ａと同じネットワークであるが、不活性セグメントが他の位置にある図である。
【図８】  図３ａに対応するゲートウェイの第２の実施例を図示する。
【図９】  図４ａに対応するゲートウェイの第２の実施例を図示する。
【図１０ａ】  図１ａのものと同様のネットワークを図示するが、節点がゲートウェイ間にある。
【図１０ｂ】  図１ａのものと同様のネットワークを図示するが、節点がゲートウェイ間にある。
【図１０ｃ】  図１ａのものと同様のネットワークを図示するが、節点がゲートウェイ間にある。
【図１ａ】
0004118506.tif 000002
【図１ｂ】
0004118506.tif 000003
【図２】
0004118506.tif 000004
【図３ａ】
0004118506.tif 000005
【図３ｂ】
0004118506.tif 000006
【図４ａ】
0004118506.tif 000007
【図４ｂ】
0004118506.tif 000008
【図５】
0004118506.tif 000009
【図６】
0004118506.tif 000010
【図７】
0004118506.tif 000011
【図８】
0004118506.tif 000012
【図９】
0004118506.tif 000013
【図１０ａ】
0004118506.tif 000014
【図１０ｂ】
0004118506.tif 000015
【図１０ｃ】
0004118506.tif 000016